【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
多重アナログ信号チャネルのサンプリングに対するタイミング不整合を減少させるために互いに対して同期された複数のサンプリングクロックを生成するための回路であって、
複数の入力信号を受信し、かつ前記複数のサンプリングクロックのそれぞれのサンプリングクロックを第１の出力状態に選択的に設定するように構成される第１の回路であって、前記複数のサンプリングクロックの選択されるサンプリングクロックが、前記複数の入力信号の選択される入力が第１の入力状態に設定されるときに、前記第１の出力状態に設定される、前記第１の回路と、
入力クロック信号を受信し、かつ前記複数のサンプリングクロックのそれぞれを、共通路を通して第２の出力状態に遷移させるように構成される第２の回路であって、前記選択されるサンプリングクロックが、前記入力クロック信号の第１のクロック状態から第２のクロック状態への遷移に応答して、前記共通路を通して前記第１の出力状態から前記第２の出力状態に遷移される、前記第２の回路と、を含む、前記回路。
【請求項２】
サンプリングクロックのそれぞれの第１の出力状態が、電圧レベルを有し、第１の回路が、サンプリングクロックのそれぞれの前記第１の出力状態の前記電圧レベルを上昇させるように構成される少なくとも１つの昇圧回路を含む、請求項１に記載の回路。
【請求項３】
前記複数のサンプリングクロックを受信する複数のサンプリングチャネルを含み、前記選択されるサンプリングクロックが前記第１の出力状態から前記第２の出力状態に遷移されるときに、前記複数のチャネルの選択されるチャネルからサンプルを生成するように構成される、サンプリング回路をさらに含む、請求項１に記載の回路。
【請求項４】
前記複数のサンプリングクロックのそれぞれの前記第１の出力状態が電圧レベルを有し、前記第１の回路が、前記サンプリング回路の少なくとも１つのスイッチをオン状態に駆動するために、前記複数のサンプリングクロックのそれぞれの前記第１の出力状態の前記電圧レベルを上昇させるように構成される、少なくとも１つの昇圧回路を含む、請求項３に記載の回路。
【請求項５】
前記選択される入力が、前記第１および第２の回路で受信される選択される入力を含み、前記第２の回路が、前記複数のサンプリングクロックのうちの１つにそれぞれ対応し、かつ前記複数の入力信号の選択される入力が前記第１の入力状態に設定されるときにその対応するスイッチを通してそれぞれのサンプリングクロックを第１のノードに選択的に接続し、前記入力クロック信号が前記第２のクロック状態に設定されるときに、前記選択されるサンプリングクロックが前記共通路を通して前記第２の出力状態に遷移されるようにそれぞれ構成される、複数のスイッチをさらに含む、請求項１に記載の回路。
【請求項６】
前記第１の回路で受信される前記選択される入力および前記第２の回路で受信される前記選択される入力が、それぞれ、前記複数の入力信号の同じ入力を含む、請求項５に記載の回路。
【請求項７】
前記複数のスイッチが、複数の第１のスイッチを含み、前記共通路が、前記第１のノードと前記第２の出力状態で保持される第２のノードとの間に連結され、前記第１のクロック状態から前記第２のクロック状態への前記入力クロック信号の遷移に応答して、前記第１のノードを前記第２のノードに接続するように構成される第２のスイッチを含む、請求項５に記載の回路。
【請求項８】
前記複数のサンプリングクロックのそれぞれの前記第１の出力状態が、電圧レベルを有し、前記第１の回路が、前記複数のサンプリングクロックのうちの対応する１つの前記第１の出力状態の前記電圧レベルを昇圧電圧レベルに設定するようにそれぞれ構成される複数のプルアップ昇圧回路を含み、前記第１の回路が、前記複数の第１のスイッチの一スイッチにそれぞれ関連付けられる複数のプルダウン経路をさらに含み、前記選択されるサンプリングクロックが、前記第２の回路で受信される前記複数の入力の前記選択される入力が前記第１の入力状態に設定されるとき、選択されるプルダウン経路を通して前記第１のノードおよび選択される第１のスイッチに並列で接続される請求項７に記載の回路。
【請求項９】
前記第１の回路が、前記選択される入力が前記第１の入力状態に設定され、前記入力クロック信号が前記第１のクロック状態にあるとき、前記複数のサンプリングクロックの前記選択されるサンプリングクロックを前記第１の出力状態に設定するプルアップ回路をさらに含む、請求項１に記載の回路。
【請求項１０】
選択されるサンプリングクロックが、第１のサンプリングクロックを含み、前記第２の回路が、
第１のノードに連結される第１の端子、前記複数のサンプリングクロックの前記第１のサンプリングクロックに連結される第２の端子、および第３の端子を有する、第１のスイッチであって、前記第１のスイッチの前記第３の端子で受信される前記複数の入力信号の入力信号が第１の入力状態にあり、前記第１のノードを前記第１のサンプリングクロックと接続するときに、前記オン状態にあるように構成される前記第１のスイッチと、
第１のノードに連結される第１の端子、前記複数のサンプリングクロックの第２のサンプリングクロックに連結される第２の端子、および第３の端子を有する、第２のスイッチであって、前記第２のスイッチの前記第３の端子で受信される前記複数の入力の入力信号が前記第１の入力状態にあり、前記第１のノードを前記第２のサンプリングクロックと接続するときに、前記オン状態にあるように構成される前記第２のスイッチと、
前記第２の出力状態で保持される第２のノードに連結される第１の端子、前記第１のノードに連結される第２の端子、および前記入力クロック信号を受信するための第３の端子を有する第３のスイッチであって、前記入力クロック信号が前記第２のクロック状態にあり、前記第１のノードを前記第２の出力状態に設定するときに、前記オン状態にあるように構成される前記第３のスイッチと、を含む、請求項１に記載の回路。
【請求項１１】
前記第１の回路が、第１のサンプリングクロック上に昇圧電圧レベルを提供するように構成される第１の昇圧回路と、第２のサンプリングクロック上に昇圧電圧レベルを提供するように構成される第２の昇圧回路と、を含む、請求項１に記載の回路。
【請求項１２】
サンプリングするための方法であって、
複数の入力信号を受信することと、
複数のサンプリングクロックの選択されるサンプリングクロックを、前記複数の入力信号の１つ以上の選択される入力が第１の入力状態に設定されるとき、第１の出力状態に設定することと、
前記１つ以上の選択される入力が前記第１の入力状態にあるときに生じる第１のクロック状態と第２のクロック状態との間の連続的遷移を有する入力クロックを受信することと、
前記選択されるサンプリングクロックを、共通路を通して前記第２の出力状態において設定されるノードに接続することによって、前記第１の出力状態にある前記選択されるサンプリングクロックを第２の出力状態に設定することであって、前記複数のサンプリングクロックのそれぞれが同じ共通路を通して前記第２の出力状態に設定される、前記設定することと、を含む、方法。
【請求項１３】
前記設定することが、昇圧電圧を有する前記第１の出力状態を提供するように、所定の電圧によって前記第１の出力状態を上昇させることを含む、請求項１２に記載の方法。
【請求項１４】
複数のサンプリングチャネルにおいて前記複数のサンプリングクロックを受信することであって、前記複数のサンプリングクロックのそれぞれが前記複数のサンプリングチャネルのうちの対応する１つのサンプリングスイッチに連結される、前記受信することと、
前記選択されるサンプリングクロックが前記第１の出力状態から前記第２の出力状態に設定されるとき、前記複数のサンプリングチャネルの選択されるチャネル上のサンプリングを開始することと、をさらに含む、請求項１２に記載の方法。
【請求項１５】
前記共通路が、共通ノードを前記第２の出力状態で保持される前記ノードに連結するように構成されるスイッチを含み、前記スイッチが、前記第１のクロック状態から前記第２のクロック状態へのそれぞれの入力クロック遷移によって切り替えられる、請求項１２に記載の方法。
【請求項１６】
前記スイッチが、第１のスイッチを含み、前記共通ノードが、複数の第２のスイッチのうちの１つを通して前記複数のサンプリングクロックのそれぞれに連結され、前記設定することが、
前記１つ以上の入力が前記第１の入力状態にあるとき、前記第２の複数のスイッチの選択されるスイッチを通して前記選択されるサンプリングクロックを前記共通ノードに接続することと、
前記第１のクロック状態から前記第２のクロック状態へのそれぞれのクロック遷移上で、前記選択されるサンプリングクロックを前記第１のスイッチを通して前記第２の出力状態で保持される前記ノードに接続することによって、前記選択されるサンプリングクロックを前記第２の出力状態に設定することと、を含む、請求項１５に記載の方法。
【請求項１７】
前記選択されるサンプリングクロックの前記共通ノードへの前記接続は、前記１つ以上の入力が前記第１の入力状態にあるとき、前記第２の複数のスイッチの選択されるスイッチおよび並列プルダウン経路を通して、前記選択されるサンプリングクロックを前記共通ノードに接続することを含む、請求項１６に記載の方法。
【請求項１８】
サンプリングするための回路であって、
複数の入力信号を受信するための手段と、
複数のサンプリングクロックの選択されるサンプリングクロックを、前記複数の入力信号の１つ以上の選択される入力が第１の入力状態に設定されるとき、第１の出力状態に設定するための手段と、
前記１つ以上の選択される入力が前記第１の入力状態にあるときに生じる、第１のクロック状態と第２のクロック状態との間の連続的遷移を有する入力クロックを受信するための手段と、
前記第１の出力状態にある前記選択されるサンプリングクロックを、前記選択されるサンプリングクロックを前記第２の出力状態で設定されるノードに接続することによって共通路を通して第２の出力状態に設定することであって、前記複数のサンプリングクロックのそれぞれが同じ共通路を通して前記第２の出力状態に設定される、設定するための手段と、を含む、前記回路。
【請求項１９】
複数のサンプリングクロックの選択されるサンプリングクロックを第１の出力状態に設定するための前記手段は、昇圧電圧を有する前記第１の出力状態を提供するように、所定の電圧によって前記第１の出力状態を上昇させる手段を含む、請求項１８に記載の回路。
【請求項２０】
複数のサンプリングクロックを複数のサンプリングチャネルで受信するための手段であって、前記複数のサンプリングクロックのそれぞれが前記複数のサンプリングチャネルのうちの対応する１つのサンプリングスイッチと連結される、前記受信するための手段と、
前記選択されるサンプリングクロックが前記第１の出力状態から前記第２の出力状態に設定されるとき、前記複数のサンプリングチャネルの選択されるチャネル上でサンプルを開始するための手段と、をさらに含む、請求項１８に記載の回路。
【請求項２１】
前記共通路が、共通ノードを前記第２の出力状態で保持される前記ノードに連結するように構成されるスイッチ手段を含み、前記スイッチ手段が、前記第１のクロック状態から前記第２のクロック状態へのそれぞれの入力クロック遷移によって切り替えられる、請求項１８に記載の回路。
【請求項２２】
前記スイッチ手段が、第１のスイッチを含み、前記共通ノードが、複数の第２のスイッチのうちの１つを通して前記複数のサンプリングクロックのそれぞれに連結され、前記設定するための手段が、
前記１つ以上の入力が前記第１の入力状態にあるとき、前記第２の複数のスイッチの選択されるスイッチを通して前記選択されるサンプリングクロックを前記共通ノードに接続する手段と、
前記第１のクロック状態から前記第２のクロック状態へのそれぞれのクロック遷移上で、前記選択されるサンプリングクロックを前記第１のスイッチを通して前記第２の出力状態で保持される前記ノードに接続することによって、前記選択されるサンプリングクロックを前記第２の出力状態に設定するための手段と、を含む、請求項２１に記載の回路。
【請求項２３】
前記選択されるサンプリングクロックを前記共通ノードへ接続する手段が、前記１つ以上の入力が前記第１の入力状態にあるとき、前記第２の複数のスイッチの選択されるスイッチおよび並列プルダウン経路を通して、前記選択されるサンプリングクロックを前記共通ノードに接続するための手段を含む、請求項１８に記載の回路。
【請求項２４】
前記第１の回路が、前記複数の第１のスイッチの一スイッチにそれぞれ関連付けられる複数のプルダウン経路をさらに含み、前記選択されるサンプリングクロックが、前記第２の回路で受信される前記複数の入力の前記選択される入力が前記第１の入力状態に設定されるとき、選択されるプルダウン経路を通して前記第１のノードおよび選択される第１のスイッチに並列で接続される請求項５に記載の回路。